(57)【特許請求の範囲】
【請求項１】
高周波増幅素子の出力信号レベルを利得制御する手段と、高周波増幅素子の負荷抵抗と、この負荷抵抗と電源間に接続されて後述のＡＧＣ回路の作動レベルを設定する第２の抵抗と、前記負荷抵抗と第２の抵抗とにそれぞれ並列接続されたチョークコイルと、前記負荷抵抗と第２の抵抗との接続点から抽出された信号が印加されるＡＧＣ回路とから成り、前記ＡＧＣ回路の出力信号を前記利得制御手段に印加することを特徴としたアップコンバージョン方式のＡＭ受信機における高周波増幅回路
【請求項２】
負荷抵抗と第２の抵抗とにそれぞれ並列接続されたチョークコイルを、単一コイルから構成して、これを前記両抵抗の直列回路に並列接続して成る請求項１記載のアップコンバージョン方式のＡＭ受信機における高周波増幅回路
【発明の詳細な説明】
【０００１】
【発明の属する技術分野】
本願発明は、アップコンバージョン方式のＡＭ受信機における高周波増輻回路に関する。
【０００２】
【従来の技術】
近年、ＡＭ受信機において、高性能（高選択度、高イメージ妨害比）で、ローコストに得られるアップコンバージョン方式が多く採用されている。
【０００３】
図３は、従来のアップコンバージョン方式のＡＭ受信機における高周波増幅回路を示し、また図４は、二重変換によるアップコンバージョン方式のＡＭ受信機のブロック図を示している。
しかして、図において、アンテナ２０から入力したＡＭ信号は、ＲＦ増幅素子であるＦＥＴ２１により増幅されたのち、ＡＧＣ用トランジスタ２２のコレクタにより、負荷抵抗Ｒ２とチョークコイルＬとを並列接続して成るＲＦ増幅回路の動作電流を保持するための保持回路２３に至り、ついでローパスフィルター２４に導かれる。
【０００４】
このように、アンテナ２０から入力してＲＦ増幅素子２１により増幅され、ローパスフィルタ２４に導かれたＡＭ信号は、図４で示すように、混合回路２５に入力し、ここで例えば１０．７ＭＨＺに周波数変換されたのち、前段のＩＦ増幅回路２６に入力し、次いで第２の混合回路２７により例えば４５０ＫＨＺに周波数変換されたのち、後段のＩＦ増幅回路２８を経て検波回路２９に送出される。
図中３０は可変周波数発振器、３１はコントローラ、３２は水晶発振器を示している。
【０００５】
一方、前記保持回路２３と電源（Ｖｃｃ）間には、広帯域用ＡＧＣ回路３３への信号抽出用であって、該ＡＧＣ回路３３の作動レベルを設定する抵抗Ｒ１が接続されており、前記保持回路２３と前記抵抗Ｒ１との接続点ａより、帯域制限を受けない高周波信号が抽出され、これが前記ＡＧＣ回路３３に入力され、これが信号強度が設定値を越えるときは、信号強度に応じて前記ＡＧＣ回路３３からの信号でＡＧＣ用トランジスタ２２のベース電位を下げ、コレクタ・エッタ間の電流を制限して、ＦＥＴ２１の増幅度を制限する。
【０００６】
またアンテナ入力回路に接続されたＡＴＴ回路３４も亦、信号強度に応じて前記ＡＧＣ回路３３からの信号により作動して入力レベルを制限するものである。
【０００７】
【発明が解決しようとする課題】
ところが、上記したアップコンバージョン方式のＡＭ受信機における非同調による高周波増幅回路は、一般に混変調妨害に対し弱いので、これを補強するために、ＲＦ増幅素子として動作電流を多く流すことができる素子を使用することが必要であるが、動作電流を多くするときは、広帯域用ＡＧＣ回路３３への信号抽出に用いる抵抗Ｒ１により大きな電圧降下を生じる。
【０００８】
その結果、ＡＧＣ用トランジスタ２２のコレクタ電位がベース電位より低下して、該トランジスタ２２が動作不能となる惧れがあり、そのため動作電流を多く流すことが可能な高周波増幅素子を使用することができないという不都合があった。  特にＩＣ回路を使用した場合には、ＡＧＣ用トランジスタ２２のベース電位は予め規定されているので、ＲＦ同調方式の回路を利用してＲＦ非同調方式とすることができないという不都合があった。
【０００９】
【課題を解決するための手段】
そこで本願発明は、上記した従来の不都合を解消するために、高周波増幅素子の出力信号レベルを利得制御する手段と、高周波増幅素子の負荷抵抗と、この負荷抵抗と電源間に接続されて後述のＡＧＣ回路の作動レベルを設定する第２の抵抗と、前記負荷抵抗と第２の抵抗とにそれぞれ並列接続されたチョークコイルと、前記負荷抵抗と第２の抵抗との接続点から抽出された信号が印加されるＡＧＣ回路とから成り、前記ＡＧＣ回路の出力信号を前記利得制御手段に印加することを特徴としたものである。
【００１０】
上記において、負荷抵抗と第２の抵抗とにそれぞれ並列接続されたチョークコイルを、単一コイルから構成して、これを前記両抵抗の直列回路に並列接続して成るものである。
【００１１】
【発明の実施の形態】
以下図面について、本願発明の実施の態様を詳述すると、図１は、アップコンバージョン方式のＡＭ受信機における高周波増幅回路を示しており、図１において、アンテナ１に入力したＡＭ信号が、ＲＦ増幅素子であるＦＥＴ２により増幅されたのち、ＦＥＴのドレインに接続されたＡＧＣ用トランジスタ３を介してローパスフィルタ４に導かれる。
【００１２】
また、ＡＧＣ用トランジスタ３のコレクタ側に、前記ＦＥＴ２の負荷として、抵抗Ｒ２と広帯域用ＡＧＣ回路１０への信号抽出に用いられる抵抗Ｒ１との直列回路が接続してあり、前記抵抗Ｒ１の他端が電源Ｖｃｃに接続され、かつ前記抵抗Ｒ２にチョークコイルＬ２を並列接続し、さらにアンテナ入力回路にＡＧＣ回路１０からの信号により作動して入力レベルを制限するＡＴＴ回路１１を接続して成る。
以上は、従来のアップコンバージョン方式のＡＭ受信機における高周波増幅回路と基本的に相違することはない。
【００１３】
本願発明は、上記した構成において、広帯域用ＡＧＣ回路１０の作動レベルを設定する抵抗Ｒ１にも、チョークコイルＬ１を並列接続したことを特徴とするものである。
【００１４】
しかして、本願発明によれば、アンテナ入力の電界強度が弱い時は、広帯域用ＡＧＣ回路１０への信号抽出電位が、ＡＧＣ回路１０の作動レベル以下となって、ＡＧＣ用トランジスタ３は導通状態におかれ、また抵抗Ｒ２と抵抗Ｒ１による電流の電圧降下は、ほとんど前記各チョークコイルＬ１，Ｌ２の直流抵抗分のみであり、従って抵抗Ｒ２にのみチョークコイルを接続して成る従来の構成に比し、大きな直流電流をＦＥＴ２のドレインに供給することができる。
【００１５】
この場合、アンテナ入力回路に接続されたＡＴＴ回路１１は非動作の状態におかれる。
【００１６】
またアンテナ入力の電界強度が強く、広帯域用ＡＧＣ駆動回路への信号抽出の電位レベルが動作設定値を越えると、その信号強度に応じてＡＧＣ用トランジスタ３のベース電位を下げ、コレクタ・エミック間の電流が制限されて、ＦＥＴ２の増幅を制限する。
【００１７】
この場合、アンテナ入力回路に接続されたＡＴＴ回路１１にも入力信号強度に応じて作動し、入力レベルを制限する。
【００１８】
図２は、上記した構成においてチョークコイルＬ１，Ｌ２を単一のコイルＬとして、これを抵抗Ｒ１抵抗Ｒ２との直列回路に並列接続して成る場合を示している。
【００１９】
【発明の効果】
以上詳記したように、本願発明は、広帯域用ＡＧＣ回路への信号抽出用抵抗にもチョークコイルを接続して成るので、高周波増幅素子の動作電流は専らチョークコイルに流れて、電圧降下はチョークコイルの直流抵抗のみとなり、従って混変調妨害に対応できる大きな電流を使用することができるという利点を有する。
【００２０】
また請求項２記載の発明によれば、従来の構成において、部品点数を変えることなくチョークコイルの接続点の変更のみですむという構成上の利点を有する。
【図面の簡単な説明】
【図１】本願のＡＭ受信機における高周波増幅回路
【図２】他の実施例を示す高周波増幅回路
【図３】従来構成のＡＭ受信機における高周波増幅回路
【図４】アップコンバージョン方式のＡＭ受信機のブロック図
【符号の説明】
１  アンテナ
２  ＦＥＴ
３  ＡＧＣ用トランジスタ
Ｒ１，Ｒ２  抵抗
Ｌ１，Ｌ２，Ｌ  チョークコイル
【図１】
0004173605.tif 000002
【図２】
0004173605.tif 000003
【図３】
0004173605.tif 000004
【図４】
0004173605.tif 000005